(57)【特許請求の範囲】
【請求項１】
防水シートの設置構造であって、
防水シートが、
前記防水シートの片面に設けられ、当該片面となるシート表面から突出して当該シート表面上で幅方向に延設され、当該シート表面に対して回動自在に設けられた第１突出片と、
前記片面に対する他方面に、当該他方面となるシート表面から突出して当該他方面となるシート表面上で幅方向に延設され、当該他方面となるシート表面に対して回動自在とされた第２突出片とを備え、
前記第１突出片及び前記第２突出片の両方に、突出片を貫通する孔部が前記幅方向において一定間隔毎に設けられ、
前記片面となるシート表面において、前記幅方向に直交する長さ方向に、前記第１突出片が一定間隔おきに設けられ、
前記他方面となるシート表面において、前記長さ方向に、前記第２突出片が一定間隔おきに設けられ、
前記防水シートの前記長さ方向における端部は２つに分岐され、
分岐された一方の端部は、前記第１突出片と同様の突出片とされ、他方の端部は前記第２突出片とされ、一方の端部である当該突出片は、他方の端部である前記第２突出片と前記長さ方向における長さが同一以下とされ、当該突出片は、前記長さ方向に折れ曲がり、他方の端部である前記第２突出片に被さって、当該突出片が、他方の端部である前記第２突出片の少なくとも一部を覆い、他方の端部である前記第２突出片における当該突出片が被さる部分に前記孔部が設けられている構成とされており、
前記第２突出片における当該突出片が被さる部分に、継ぎ足される防水シートの端部が載せられ、
前記第２突出片及び継ぎ足される防水シートの前記端部の上から、留め部材が載せられ、
前記留め部材の上から、前記第２突出片及び継ぎ足される防水シートの前記端部を貫通して、留め具が打ち込まれ、
前記留め部材及び前記留め具が、当該突出片により覆われる、防水シートの設置構造。
【請求項２】
前記防水シートは、前記第２突出片が、前記長さ方向において前記第１突出片が設けられている位置と同じ位置に、前記他方面となるシート表面に設けられている請求項１に記載の防水シートの設置構造。
【請求項３】
前記防水シートは、前記第２突出片が、前記他方面となるシート表面において、前記長さ方向において前記第１突出片が設けられている位置と異なる位置に設けられている請求項１に記載の防水シートの設置構造。
【請求項４】
前記防水シートは、前記第１突出片に設けられた前記孔部と、前記第２突出片に設けられた前記孔部とは、前記幅方向において互いに異なる位置に設けられている請求項１乃至請求項３のいずれかに記載の防水シートの設置構造。
【請求項５】
請求項１乃至請求項４のいずれかに記載の防水シートの設置構造と、平板状の留め部材とを用いて、前記防水シートを建物の屋根に設置する防水シートの施工方法であって、
前記防水シートを設置する対象となる屋根に、前記他方面となるシート表面を屋根側として前記防水シートを被せ、前記防水シートをめくり上げて前記第２突出片を露出させ、当該露出させた前記第２突出片を屋根上に宛てがい、
前記露出させた前記第２突出片上に前記留め部材を載置し、前記留め部材上から前記第２突出片の下に位置する瓦又はその下の屋根材まで留め具を打ち込み、当該留め具を打ち込んだ前記第２突出片の上から、めくり上げた前記防水シートを屋根に被せることで、前記防水シートを屋根に設置する、防水シートの施工方法。
【請求項６】
請求項１乃至請求項４のいずれかに記載の防水シートの設置構造と、
長手方向に延びる基部、前記基部に直交して延びる引掛部、及び、前記基部から前記引掛部が延びる方向とは逆方向にＵ字状に湾曲して延びるフック部を有する取付部材とを用いて、前記防水シートを建物の屋根に設置する防水シートの施工方法であって、
前記防水シートを設置する対象となる屋根において、当該屋根に配置されている瓦群のうち、重ねて配置されている任意の２つの瓦の一方の端部に、他方の瓦を外した状態で前記取付部材の前記引掛部を係止させ、この状態で前記２つの瓦のうち他方の瓦を前記重なる配置状態に戻して、前記２つの瓦の間に前記取付部材を挟み込ませて前記フック部を当該２つの瓦から露出させた状態で前記取付部材を固定し、
前記挟み込まれた前記取付部材の位置に前記第２突出片を配置して前記防水シートを屋根に被せ、
前記第２突出片の前記孔部と、前記取付部材の前記フック部とを繋ぎ止めることにより前記防水シートを屋根に固定する、防水シートの施工方法。
【発明の詳細な説明】
【技術分野】
【０００１】
本発明は、防水シートに関し、特に、防水シートを建造物の屋根又は外壁に対して取り付けるための構造に関する。
【背景技術】
【０００２】
建造物の外壁や屋根の補修時等に用いられる防水シートとして、例えば所謂ブルーシートが知られている。この防水シートを建造物の補修箇所に取り付ける際は、防水シートの端部に設けられた孔部に紐を通して建造物の一部にくくり付ける等の作業が作業者により行われる。また、例えば雨漏り防止のために建物の屋根に防水シートを被せるときは、横風によるシートのめくれを防止するために、日本家屋の屋根の場合、中央の最上部から最下部にかけての傾斜面上に土嚢等の重りを一定距離毎に、シートの上から屋根に載置する作業が作業者により行われる。例えば、下記特許文献１には、シートの面から突出した補強部材が設けられており、この補強部材により建物の一部にシートを括り付けられるようにした足場用シートが開示されている。
【先行技術文献】
【特許文献】
【０００３】
【特許文献１】特開２００９−１５５８５２号公報
【発明の概要】
【発明が解決しようとする課題】
【０００４】
しかしながら、上記特許文献１に記載の技術では、補強部材により建物にシートの端部を括り付けることはできるが、当該端部以外の部分を建物に繋ぐことはできない。また、箇所を建物にシートを取り付けた後における横風によるシートのめくれを防止するために土嚢等をシートの上から屋根に載せても、土嚢をシート又は屋根に固定しておくことができない。そして、災害時には応急措置等のために、職人ではない一般の方が建造物の外壁又は屋根の破損箇所に自分でシートを取り付ける作業をすることが多い。このため、建物にシートを取り付ける作業及び横風によるシートのめくれを防止する作業を一般の方でも簡単に行えるようにすることが望まれる。
【０００５】
本発明は係る事情に鑑みてなされたものであり、建物にシートを被せる際、建物にシートを取り付ける作業及び横風によるシートのめくれを防止する作業を一般の方でも簡単に行えるようにすることを目的とする。
【課題を解決するための手段】
【０００６】
本発明の一局面に係る防水シートは、前記防水シートの片面に設けられ、シート表面から突出してシート面上で幅方向に延設され、結合している前記防水シートの面に対して回動自在とされた第１突出片と、前記片面に対する他方面に、シート表面から突出してシート面上で幅方向に延設され、結合している前記防水シートの面に対して回動自在とされた第２突出片とを備え、前記第１突出片及び前記第２突出片のうち少なくとも前記第１突出片には、突出片を貫通する孔部が前記幅方向において一定間隔毎に設けられているものである。
【０００７】
本発明の一局面に係る防水シートの施工方法は、上記防水シートと、平板状の留め部材とを用いて、前記防水シートを建物の屋根に設置する防水シートの施工方法であって、前記防水シートを設置する対象となる屋根に前記防水シートを被せ、前記防水シートをめくり上げて前記第２突出片を露出させ、当該露出させた前記第２突出片を屋根上に宛てがい、前記露出させた前記第２突出片上に前記留め部材を載置し、前記留め部材上から前記第２突出片の下に位置する瓦又はその下の屋根材まで留め具を打ち込み、当該留め具を打ち込んだ前記第２突出片の上から、めくり上げた前記防水シートを屋根に被せることで、前記防水シートを屋根に設置するものである。
【０００８】
本発明の一局面に係る更なる防水シートの施工方法は、上記防水シートと、長手方向に延びる基部、前記基部に直交して延びる引掛部、及び、前記基部から前記引掛部が延びる方向とは逆方向にＵ字状に湾曲して延びるフック部を有する取付部材とを用いて、前記防水シートを建物の屋根に設置する防水シートの施工方法であって、前記防水シートを設置する対象となる屋根において、当該屋根に配置されている瓦群のうち、重ねて配置されている任意の２つの瓦の一方の端部に前記取付部材の前記引掛部を係止させ、この状態で前記２つの瓦のうち他方の瓦を前記重なる配置状態に戻して、前記２つの瓦の間に前記取付部材を挟み込ませて前記フック部を露出させた状態で前記取付部材を固定し、前記挟み込まれた前記取付部材の位置に前記第２突出片を配置して前記防水シートを屋根に被せ、前記突出片の前記孔部と、前記取付部材の前記フック部とを繋ぎ止めることにより前記防水シートを屋根に固定するものである。
【発明の効果】
【０００９】
本発明によれば、建物にシートを被せる際、建物にシートを取り付ける作業及び横風によるシートのめくれを防止する作業を一般の方でも簡単に行うことができる。
【図面の簡単な説明】
【００１０】
【図１】本発明の一実施形態に係る防水シートを家屋の屋根上に被せた状態を示す斜視図である。
【図２】防水シートの一部分を示す斜視図である。
【図３】防水シートにおける第１突出片及び第２突出片部分を示す斜視図である。
【図４】防水シートに第１突出片及び第２突出片を設ける位置を示す図である。
【図５Ａ】第１突出片及び第２突出片の動作を示す図である。
【図５Ｂ】第１突出片における孔部の配置及び第２突出片における孔部の配置を示す図である。
【図６】防水シートの屋根への取付方法の第１実施形態を示す図である。
【図７】屋根に被せた防水シートにおける第２突出片上に留め部材を配置してビス留めを行う様子を示す斜視図である。
【図８】第２突出片上に配置された留め部材をビス留めした状態を示す斜視図である。
【図９】留め部材及びビスにより固定された防水シートを屋根上に被せた状態を示す図である。
【図１０】防水シートの端部をなす突出片及び第２突出片部分に更なる防水シートの端部を宛てがった状態を示す図である。
【図１１】留め部材の上から瓦に対してビスを打ち込む様子を示す図である。
【図１２】防水シート端部の突出片を折り曲げて留め部材上に被せた状態を示す図である。
【図１３】第２突出片を用いた屋根への取付方法の第２実施形態を示す図であり、屋根裏から、屋根上に被せられた防水シートを見た状態を示す図である。
【図１４】第２突出片を用いた屋根への取付方法の第３実施形態を示す図である。
【図１５】第１取付部材及び第２取付部材の瓦への取付を示す図である。
【図１６】瓦に取り付けた状態の第１取付部材及び第２取付部材を示す図である。
【図１７】屋根に取り付けた防水シートを示す図である。
【図１８】屋根に取り付けた防水シートを示す図である。
【図１９】防水シートの第１取付部材に留め部材を取り付けた状態を示す図である。
【図２０】防水シートの第１取付部材に水タンクを取り付けて第２取付部材の屋根への固定位置を押さえた状態を示す図である。
【発明を実施するための形態】
【００１１】
以下、本発明に係るの一実施形態に係る防水シート及び防水シートの施工方法を、図面を参照して説明する。図１は本発明の一実施形態に係る防水シートを家屋の屋根上に被せた状態を示す斜視図である。図２は防水シートの一部分を示す斜視図である。
【００１２】
防水シート１は、例えばポリエチレン等からなる合成樹脂製のシートである。防水シート１には、例えば、所謂ブルーシートの素材が用いられる。防水シート１は、例えば、家屋の屋根の組み立て時又は修理時に、未完成部分を覆う又は完全に防水が終わる前の屋根を覆って雨水等から建物を守るため等に用いられる。防水シート１は、不透水性をもち、また折り畳み可能である。防水シート１を複数用いることで広い面積に亘って屋根を覆うことが可能である。
【００１３】
図１に示すように、防水シート１は、例えば建物の屋根の上に被せて使用する。図１には、日本家屋の屋根上に防水シート１を被せた例を示している。防水シート１には、第１突出片１１と第２突出片１２とが設けられている。第１突出片１１は、防水シート１の片面に設けられ、シート表面から突出してシート面上で幅方向Ｘ（図２）に延設されている。第１突出片１１は、幅方向Ｘに直交する長さ方向Ｙに、シート表面との境目部分を軸としてシート表面に対して回動自在とされている。第２突出片１２は、防水シート１の上記片面に対する他方面（第１突出片１１が設けられている面の裏面）に、シート表面から突出してシート面上で幅方向Ｘ（図２）に延設されている。第２突出片１２も、シート表面との境目部分を軸として長さ方向Ｙにシート表面に対して回動自在である。
【００１４】
更に、第１突出片１１には、突出片を貫通する孔部１１１が、第１突出片１１が延びる幅方向Ｘにおいて一定間隔毎に設けられている。同様に、第２突出片１２にも、突出片を貫通する孔部１２１が、第２突出片１２が延びる幅方向Ｘにおいて一定間隔毎に設けられている。これら一定間隔は、例えば５０ｃｍ〜１ｍとされる。また、孔部１１１，１２１はハトメにより形成されることが好ましい。
【００１５】
図３は、防水シート１における第１突出片１１及び第２突出片１２部分を示す斜視図である。第２突出片１２は、長さ方向Ｙにおいて第１突出片１１が設けられている位置と同じ位置に、上記他方面に設けられている。第１突出片１１及び第２突出片１２は、次のようにして作成される。
【００１６】
例えば、防水シート１（第１突出片１１及び第２突出片１２が未だ設けられていない状態）のシート面を、折り曲げ線が幅方向Ｘに延びるようにして、当該シート面の片面から突出するように折り曲げる。そして、このように突出させたシート面１２０１，１２０２の向かい合う内面側同士を接着することで第１突出片１１を形成する。更に、シート面１２０２を他方面側にも突出させ、このように突出させたシート面１２０２と他方面側のシート面１２０３の向かい合う内面側同士を接着することで第２突出片１２を形成する。第１突出片１１及び第２突出片１２は、シート面からの突出高さが例えば5.0〜7.5cmとされる。更に、このように作成した第１突出片１１には、上述した孔部１１１が幅方向Ｘにおいて一定間隔毎に設けられ、第２突出片１２には、孔部１２１が幅方向Ｘにおいて一定間隔毎に設けられる。
【００１７】
図４は防水シート１に第１突出片１１及び第２突出片１２を設ける位置を示す図である。防水シート１を家屋屋根に被せたときに、屋根の棟に載置される防水シート部分を棟部１００とすると、防水シート１には、棟部１００から長さ方向Ｙにおいて一定間隔Ｓおきに第１突出片１１及び第２突出片１２が設けられる。当該一定間隔Ｓは、棟部１００から長さ方向Ｙにおいて最初の一定間隔Ｓは９０ｃｍ、続く各一定間隔Ｓは９０〜１８０ｃｍである。防水シート１の大きさは、修理の対象とされる屋根の面積に合わせて設定される。例えば、防水シート１の長さ方向Ｙの大きさは、１．８ｍ〜１０ｍとされる。
【００１８】
続いて、第１突出片１１及び第２突出片１２の機能を説明する。図５Ａは第１突出片１１及び第２突出片１２の動作を示す図である。第１突出片１１は、上記のように防水シート１自体が折り曲げて形成されているため、幅方向Ｘに延びるシート面からの根元部分を軸として、長さ方向Ｙにおいてシート面上で回動が可能である。そして、第２突出片１２も、同じく防水シート１自体が折り曲げて形成されているため、幅方向Ｘに延びるシート面からの根元部分を軸として、長さ方向Ｙにおいてシート面上で回動が可能である。これにより、防水シート１を屋根に被せたとき、第１突出片１１及び第２突出片１２のどちらも、長さ方向Ｙにおいて、屋根の棟側にも裾側にも折り曲げることが可能となっている。
【００１９】
また、防水シート１の長さ方向Ｙにおける端部は２つに分岐されている。分岐された一方の分岐端部は、第１突出片１１と同様の機能を有する突出片１３とされる。そして、他方の分岐端部は第２突出片１２とされる。防水シート１の当該端部では、折り返されて向かい合うシート面１２０５、１２０６の内面側同士を接着して突出片１３が形成される。また、突出片１３の更に先に続くシート面１２０６部分が折り返されて向かい合う内側の面同士を接着して第２突出片１２が形成される。
【００２０】
このように作成した第１突出片１１及び第２突出片１２には、上述した孔部１１１，１２１が幅方向Ｘにおいて一定間隔毎に設けられる。第１突出片１１に形成される孔部１１１と、第２突出片１２に形成される孔部１２１は、同じ位置に設けられるが、図５Ｂに示すように、幅方向Ｘにおいて互いに異なる位置に設けられることが好ましい。孔部１１１，１２１をこのように異なる位置に配置することで、後述するように防水シート１を屋根に固定したとき、防水シート１と屋根を繋ぐ部分に掛かる荷重と、防水シート１に繋いだ重りにより防水シート１に掛かる荷重とを、幅方向Ｘにおいて分散させることができるため、防水シート１を屋根に固定した屋根部分に掛かる負担を軽減することができる。
【００２１】
次に、防水シート１の屋根への取付、すなわち、防水シートの施工方法について説明する。図６は、防水シート１の屋根への取付方法の第１実施形態を示す図である。図７は、屋根に被せた防水シート１における第２突出片１２上に留め部材２を配置してビス留めを行う様子を示す斜視図である。図８は第２突出片１２上に配置された留め部材２をビス留めした状態を示す斜視図である。図９は留め部材２及びビスにより固定された防水シート１を屋根上に被せた状態を示す図である。
【００２２】
防水シート１を家屋の屋根に取り付ける際は、図６に示すように、まず、作業者は、防水シート１の端部１Ｅをなす突出片１３及び第２突出片１２と、これに続いて上記一定間隔Ｓで形成されている第１突出片１１及び第２突出片１２までのシート部分で屋根の棟部を覆うようにして、防水シート１を屋根に被せる。そして、作業者は、防水シート１の端部１Ｅにおいては、第２突出片１２を屋根上に載置し、当該第２突出片１２上に平板状の留め部材２を載置する。留め部材２は、例えば合成樹脂等からなる。この状態で、作業者が留め部材２の上からビス等を打ち込み、屋根表面の瓦、好ましくはその下の屋根材まで更にビスを到達させて固定する。突出片１３は、屋根の裾側（下方側）に向けて倒した姿勢とし、第２突出片１２に載置されている当該留め部材２の上に被せる。
【００２３】
また、屋根上において棟部を挟んで反対側となる防水シート１上の第１突出片１１及び第２突出片１２部分については、作業者は、防水シート１を棟部側にめくり上げて第２突出片１２部分を露出させ、当該露出させた第２突出片１２を屋根上に宛てがい、当該第２突出片１２上に留め部材２を載置する。この状態で、図７に例を示すように留め部材２の上から瓦ＫＷ及びその下の屋根材ＲＦまでビス７等を打ち込み、図８に示すように、留め部材２により第２突出片１２部分を屋根に固定する。このように防水シート１を棟部側にめくり上げて第２突出片１２部分を屋根に固定する作業になるため、作業者は、防水シート１上に乗って作業することなく、第２突出片１２部分を屋根に固定することができ、滑って転倒する等の危険を伴わずに作業ができる。そして、作業者は、上記めくり上げていた防水シート１部分を屋根の裾側（下方側）に向けて倒し、図９に示すように、当該留め部材２及び第２突出片１２部分の上に被せる。この後、作業者は、当該第２突出片１２部分の第１突出片１１を、屋根の裾側（下方側）に向けて倒した姿勢としておく。更に、これに続く次の第１突出片１１及び第２突出片１２部分においても、作業者は、同様にして、防水シート１をめくり上げて第２突出片１２上に載置した留め部材２の上からビス等を打ち込んで固定し、上記めくり上げていた防水シート１を屋根の裾側（下方側）に向けて倒し、当該第２突出片１２部分の第１突出片１１を屋根の裾側（下方側）に向けて倒した姿勢とする。この作業を屋根の裾部分まで同様に行って、防水シート１の屋根への固定を完了する。このように第１突出片１１を屋根の裾側（下方側）に向けて倒した姿勢とすることで、防水シート１上を流れる雨水を屋根の裾側（下方側）に向けて円滑に案内することができる。
【００２４】
このように防水シート１を屋根に固定する場合、上記めくり上げていた防水シート１部分を折り返して第２突出片１２に被せることで第２突出片１２が覆われ、第１突出片１１は当該防水シート１部分の上に位置することになるので、作業者が、防水シート１を屋根に繋ぐために作業をする場所と、防水シート１に重りを取り付ける場所が同じになり、作業箇所がまとまるので、作業者に対する作業負担が軽減される。
【００２５】
次に、防水シート１の端部に更なる防水シート１を継ぎ足す作業について説明する。防水シート１の端部をなす突出片１３及び第２突出片１２には、更なる防水シート１の継ぎ足しが可能である。継ぎ足しを行う場合、まず、図１０に示すように、作業者は、防水シート１の端部をなす突出片１３及び第２突出片１２部分に更なる防水シート１０の端部を宛てがい、防水シート１側の孔部１２１と、防水シート１０側の孔部１０１の幅方向Ｘにおける位置を合わせる。この状態で、作業者は、元の防水シート１の第２突出片１２の上に、更なる防水シート１０の端部を載せる。そして、このように重ねた元の防水シート１の第２突出片１２及び更なる防水シート１０の端部の上から更に留め部材２を載せ、図１１に示すように、留め部材２の上から瓦ＫＷ及びその下の屋根材までビス等を打ち込み、留め部材２により第２突出片１２及び防水シート１０端部を屋根に固定する。この固定後、作業者は、図１２に示すように、突出片１３を折り曲げて、留め部材２上に被せた状態とする。このように突出片１３を屋根の裾側（下方側）に向けて倒した姿勢とすることで、防水シート１上を流れる雨水を屋根の裾側（下方側）に向けて円滑に案内することができる。
【００２６】
これにより、更なる防水シート１０を元の防水シート１に簡単な作業で確実に繋げることができる。
【００２７】
このように継ぎ足した更なる防水シート１０においても、防水シート１０に第１突出片１１及び第２突出片１２が設けられている場合には、上記と同様にして、作業者は、第１突出片１１及び第２突出片１２部分において留め部材２を用いたビス留めにより屋根に防水シート１０を固定する。
【００２８】
次に、第２突出片１２を用いた屋根への固定についての第２実施形態を説明する。図１３は第２突出片１２を用いた屋根への取付方法の第２実施形態を示す図である。なお、第２実施形態では、孔の空いた屋根又は一部が取り去られて内部が露出している屋根に対して防水シート１を固定する手法を示す。上記では、留め部材２及びビス等を用いて第２突出片１２を屋根に固定する形態を示したが、これに代えて、第２実施形態では、作業者は、防水シート１が被せられた屋根の下方側、すなわち、屋根部分を通して家屋の屋内から、防水シート１の第２突出片１２の孔部１２１にアクセスし、当該孔部１２１に紐３を通して、天井裏の梁Ｈ又は梁Ｈに打ち付けた釘８等に当該紐３を括り付ける。この作業によっても、防水シート１を屋根に簡単に固定することができる。なお、当該梁Ｈに代えて垂木に第２突出片１２を固定してもよい。
【００２９】
次に、第２突出片１２を用いた屋根への取付方法の第３実施形態を説明する。図１４は第２突出片１２を用いた屋根への固定についての第３実施形態を示す図である。第３実施形態では、屋根の上に被せた防水シート１を、第１取付部材５１及び第２取付部材５２を用いて屋根の瓦ＫＷに取り付けられる。なお、第３実施形態では、瓦ＫＷが屋根材に載せられているだけではなく、各瓦ＫＷがビス等により屋根材に固定されている屋根に対して防水シート１を固定する場合を前提としている。
【００３０】
第１取付部材５１及び第２取付部材５２は、例えば、ステンレス等の金属からなる。図１４に示すように、第１取付部材５１は、長手方向に延びる基部５１１と、基部５１１に直交する引掛部５１２と、基部５１１から引掛部５１２が延びる方向とは逆方向にＵ字状に湾曲して延びるフック部５１３とを有する。また、第２取付部材５２は、長手方向に延びる長手部５２１と、長手部５２１に直交する係止部５２２と、長手部５２１から係止部５２２が延びる方向とは逆方向に略「く」の字状に湾曲して延び、更に当該湾曲して延びた部分の先端が更に湾曲した留め部５２３とを有する。
【００３１】
図１５は、第１取付部材５１及び第２取付部材５２の瓦ＫＷへの取付を示す図である。図１６は、瓦ＫＷに取り付けた状態の第１取付部材５１及び第２取付部材５２を示す図である。作業者は、端部同士が重なる瓦ＫＷの一枚をビス等を外してめくり、図１５に示すように、下側の瓦ＫＷの端部Ｅ１に第１取付部材５１の引掛部５１２を宛てがった後、めくった上側の瓦ＫＷを下側の瓦ＫＷに重なる元の位置に戻して再びビス留めをして固定する。これにより、下側の瓦ＫＷの端部に引掛部５１２が係止すると共に、第１取付部材５１がその引掛部５１２側の端部が上側の瓦ＫＷにより押さえられた状態で、これら２枚の瓦ＫＷにより挟まれて固定される。この状態では、図１６に示すように、第１取付部材５１は、基部５１１及びフック部５１３がこれら２枚の瓦ＫＷから露出した状態となる。
【００３２】
同様に、第２取付部材５２も、作業者は、端部同士が重なる瓦ＫＷの一枚をビス等を外してめくり、下側の瓦ＫＷの端部に第２取付部材５２の係止部５２２を宛てがって、上側の瓦ＫＷを下側の瓦ＫＷに重なる元の位置に戻して再びビス留めをして固定する。これにより、下側の瓦ＫＷの端部に係止部５２２が係止すると共に、第２取付部材５２がその係止部５２２側の端部が上側の瓦ＫＷにより押さえられた状態で、これら２枚の瓦ＫＷにより挟まれて固定される。この状態では、第２取付部材５２は、長手部５２１及び留め部５２３がこれら２枚の瓦ＫＷから露出した状態となる。
【００３３】
上記第１取付部材５１及び第２取付部材５２の取付位置は、屋根に被せた防水シート１の第２突出片１２の孔部１２１に対応する位置とされる。そして、作業者は、第２突出片１２の孔部１２１に紐３を通し、図１６に示すようにして、当該紐３を第１取付部材５１のフック部５１３又は第２取付部材５２の留め部５２３に結びつける。この作業によっても、防水シート１を屋根に簡単に固定することができる。
【００３４】
次に、図１７及び図１８を参照して防水シート１を屋根に押さえ付ける手法を説明する。図１７及び図１８は屋根に取り付けた防水シート１を示す図である。上記のようにして防水シート１を屋根に固定した後、第１突出片１１の孔部１１１に紐３を通し、この紐３に水タンク６をくくり付ける。これにより、水タンク６を重りとして防水シート１を屋根に押さえ付ける。この水タンク６の取付は、第１突出片１１及び孔部１１１の数だけ取付が可能で、作業者が適宜必要な数を調整して取り付ける。この水タンク６による屋根への防水シート１の押さえ付けにより、横風による防水シート１の屋根からのめくれを防止することができる。なお、水タンク６に代えて土嚢を用いてもよく、これらには例えば１０ｋｇのものを用いる。
【００３５】
このようにして防水シート１を屋根に固定することで、建物にシートを被せる際、建物にシートを取り付ける作業及び横風によるシートのめくれを防止する作業を一般の方でも簡単に行うことができる。
【００３６】
なお、上記のように水タンク６による防水シート１の押さえ付けを行わない場合は、図１９に示すように、例えば平板状の留め部材２を第１突出片１１の孔部１１１に紐又は結束バンド９等で括り付けることも可能である。このようにすれば、留め部材２が足の滑り止めになり、また、図１９に示すようにしてフック３０を留め部材２に係止させ、このフック３０に取り付けた安全ロープ３１を命綱として作業者に括り付けることも可能になる。これにより、屋根に防水シート１を取り付けた後、防水シート１上に乗って行う作業を安全に行うことができる。
【００３７】
また、防水シート１では、同一のシート面を折り返して第１突出片１１及び第２突出片１２を形成しているので、屋根に防水シート１を繋ぐ第２突出片１２の長さ方向Ｙにおける位置と、第１突出片１１の位置が同じである。このため、防水シート１を屋根に繋いだときに防水シート１に掛かる荷重の位置と、重りを繋いだときに防水シート１に掛かる荷重の位置とが、防水シート１において同じ位置になるので、重りを繋いだときに防水シート１に掛かる荷重を、第２突出片１２を屋根に固定した位置で受け止めることが可能になる。これにより、これら荷重により防水シート１に掛かる負担を軽減しつつ、防水シート１をより強固に屋根に固定することが可能になる。
【００３８】
なお、本発明は上記実施の形態の構成に限られず種々の変形が可能である。例えば、上記実施形態では、第２突出片１２の長さ方向Ｙにおける位置と第１突出片１１の位置を同じとしているが、図２０に示すように、第２突出片１２を長さ方向Ｙにおいて第１突出片１１とは異なる位置に設けるようにしてもよい。この場合、第１突出片１１に水タンク６を紐又は結束バンド９等で取り付けたとき、この水タンク６を屋根に固定した第２突出片１２の上となる位置に置き、水タンク６の重量で第２突出片１２の屋根への固定位置を確実に押さえることができる。
【００３９】
上記実施形態では、図１乃至図２０を用いて上記実施形態により示した構成及び処理は、本発明の一実施形態に過ぎず、本発明を当該構成及び処理に限定する趣旨ではない。
【符号の説明】
【００４０】
１，１０  防水シート
１００    棟部
１０１    孔部
１２０１，１２０２  シート面
１２０３，１２０５，１２０６  シート面
１１      第１突出片
１１１    孔部
１２      第２突出片
１２１    孔部
１３      突出片
２        留め部材
５１      第１取付部材
５１１    基部
５１２    引掛部
５１３    フック部
５２      第２取付部材
５２１    長手部
５２２    係止部
５２３    留め部
Ｅ１      端部
Ｈ        梁
ＫＷ      瓦
Ｒ        屋根材
【要約】
【課題】建物にシートを被せる際、建物にシートを取り付ける作業及び横風によるシートのめくれを防止する作業を一般の方でも簡単に行えるようにする。
【解決手段】防水シート１は、防水シート１の片面に設けられ、シート表面から突出してシート面上で幅方向に延設され、結合している防水シート１の面に対して回動自在とされた第１突出片１１と、上記片面に対する他方面に、シート表面から突出してシート面上で幅方向に延設され、結合している防水シート１の面に対して回動自在とされた第２突出片１２とを備え、第１突出片１１には、第１突出片１１を貫通する孔部１１１が上記幅方向において一定間隔毎に設けられている。
【選択図】図１【図１】
0006774040.tif 000002
【図２】
0006774040.tif 000003
【図３】
0006774040.tif 000004
【図４】
0006774040.tif 000005
【図５Ａ】
0006774040.tif 000006
【図５Ｂ】
0006774040.tif 000007
【図６】
0006774040.tif 000008
【図７】
0006774040.tif 000009
【図８】
0006774040.tif 000010
【図９】
0006774040.tif 000011
【図１０】
0006774040.tif 000012
【図１１】
0006774040.tif 000013
【図１２】
0006774040.tif 000014
【図１３】
0006774040.tif 000015
【図１４】
0006774040.tif 000016
【図１５】
0006774040.tif 000017
【図１６】
0006774040.tif 000018
【図１７】
0006774040.tif 000019
【図１８】
0006774040.tif 000020
【図１９】
0006774040.tif 000021
【図２０】
0006774040.tif 000022